Podtech/llm-jp-corpus-v4-ja_patent huggingface dataset:
(57)【要約】【課題】  混入される側の食品の食感を保ちつつ、緑茶の褪色や変色を抑え鮮明な緑色を備えることが可能な緑茶ペーストを提供することにある。【解決手段】  緑茶に、粟の粉末及びニガリが所定量添加されたことを特徴とし、緑茶と粟の粉末とニガリとの重量比が、約１：２：１であり、また、緑茶ペーストを用いた食品としてはラーメンの麺があって、ラーメンの麺の場合、粟の粉末の重量比が、麺全体の４％〜９％であることを特徴とする。【選択図】  なし【特許請求の範囲】
【請求項１】
緑茶を原料とする食品用の緑茶ペーストにおいて、
該緑茶に、粟の粉末及びニガリが所定量添加されたことを特徴とする緑茶ペースト。
【請求項２】
前記緑茶と前記粟の粉末と前記ニガリとの重量比が、約１：２：１であることを特徴とする請求項１記載の緑茶ペースト。
【請求項３】
請求項１及び請求項２記載の緑茶ペーストを混入したことを特徴とする緑茶ペーストを用いた食品。
【請求項４】
前記食品が、ラーメンの麺であることを特徴とする請求項３記載の緑茶ペーストを用いた食品。
【請求項５】
前記ラーメンの麺の前記粟の粉末の重量比が、麺全体の４％〜９％であることを特徴とする請求項４記載の緑茶ペーストを用いた食品。
【請求項６】
前記食品が、和菓子であることを特徴とする請求項３記載の緑茶ペーストを用いた食品。
【発明の詳細な説明】
【技術分野】
【０００１】
本発明は、緑茶を原料とする食品用の緑茶ペースト及び緑茶ペーストを用いた食品に関する。
【背景技術】
【０００２】
従来より、茶葉の色や緑茶の香りを食品に取り込むために、食品に添加する緑茶を原料とする緑茶ペーストが用いられている。この緑茶ペーストは、例えば、特許文献１に示すように、食品の品質の向上や安定化を目的に、緑茶以外の成分が混ぜ合わされているものがある。特許文献１の緑茶ペーストでは、ササ、マツの葉、樹皮、樹脂のエキス等が混入されている。
【先行技術文献】
【特許文献】
【０００３】
【特許文献１】特開平１１−２６６７８５号公報
【発明の概要】
【発明が解決しようとする課題】
【０００４】
しかしながら、従来の緑茶ペーストでは、混入する食品によっては、緑茶の褪色や変色を抑え鮮明な緑色を保つことが困難である。また、緑茶以外に混入するものによって、食品の食感が、従来の緑茶ペーストを混入しないものと大きく異なってしまうこともある。
【０００５】
本発明は、このような事情に鑑みてなされたもので、混入される側の食品の食感を保ちつつ、緑茶の褪色や変色を抑え鮮明な緑色を備えることが可能な緑茶ペーストを提供することにある。
【課題を解決するための手段】
【０００６】
請求項１記載の緑茶ペーストは、緑茶に、粟の粉末及びニガリが所定量添加されたことを特徴とする。
【０００７】
請求項２記載の緑茶ペーストは、緑茶と粟の粉末とニガリとの重量比が、約１：２：１であることを特徴とする。
【０００８】
請求項３記載の緑茶ペーストを用いた食品は、請求項１及び請求項２記載の緑茶ペーストを混入したことを特徴とする。
【０００９】
請求項４記載の緑茶ペーストを用いた食品は、ラーメンの麺であることを特徴とする。
【００１０】
請求項５記載の緑茶ペーストを用いた食品は、ラーメンの麺の粟の粉末の重量比が、麺全体の４％〜９％であることを特徴とする。
【００１１】
請求項６記載の緑茶ペーストを用いた食品は、和菓子であることを特徴とする。
【発明の効果】
【００１２】
本発明によれば、緑茶に、粟の粉末及びニガリが所定量添加されることで、混入される側の食品の食感を保ちつつ、緑茶の褪色や変色を抑え鮮明な緑色を備えることが可能である。
【発明を実施するための形態】
【００１３】
以下、本発明の形態について具体的に説明する。本実施の形態における緑茶ペーストは、緑茶を原料とする食品用のペースト状の物で、後述する各種の食品に混入して用いるものである。この緑茶ペーストは、緑茶に、粟の粉末及びニガリを所定量添加して形成されている。添加の割合は、緑茶と粟の粉末とニガリとの重量比で、約１：２：１である。
【００１４】
ニガリは、塩化マグネシウムを主成分にするもので、天然素材であるか、合成素材であるかは問わない。但し、不純物を多く含むものは、食品の食感等を悪化させるので好ましくはない。粟の粉末は、粟の実を碾いたもので、食品に混入した場合にその食品にぼそぼそ感を生じにくくするためには、より細かく碾くことが好ましい。
【実施例】
【００１５】
本実施の形態における緑茶ペーストを用いた食品の実施例を示す。尚、本発明はこの実施例に限定されるものではない。本実施例で説明するのは、緑茶ペーストを混入したラーメンの麺である。このラーメンの麺は、表１に示す割合の材料を用いている、
【００１６】
【表１】
2011110023.tif 000002
【００１７】
従来は、ラーメンの麺には、かん水を用いることから、緑茶が褪色したり変色したりして、緑色の鮮やかなラーメンの麺を作ることができなかったが、ニガリを入れることで、緑茶の褪色や変色を抑え鮮明な緑色を備えるラーメンの麺を作ることができる。また、粟の粉により、ゆで伸びが抑えられると共に、食感に優れたラーメンの麺を作ることができる。
【００１８】
尚、粟の粉が全体の１０％を超えると、ぼそぼそになってしまうため、粟の粉の量は麺全体の重量比で４％〜９％にするのが望ましい。また、粟以外の他の雑穀類であるヒエ、キビを用いた実験も行ったが、粟以外の他の雑穀類では、麺自体が粘ってぼたぼたになるだけで、ラーメンとしての風味や食感を出すことができなかった。
【００１９】
上述の実施例では、ラーメンの麺に本実施の形態の緑茶ペーストを混入した場合の例を説明したが、他にも例えば饅頭やどら焼き等の和菓子や、パンなどの食品に用いることが可能である。また、従来からある蕎麦やうどん等の麺類に用いることも当然に可能で、緑茶の褪色や変色を抑え鮮明な緑色を備え、且つ緑茶の入らない食品と食感が遜色ないか優れた食品を提供することが可能である。
【産業上の利用可能性】
【００２０】
以上のように、本発明によれば、混入される側の食品の食感を保ちつつ、緑茶の褪色や変色を抑え鮮明な緑色を備えることが可能な緑茶ペーストを提供することができる。
(57)【要約】      （修正有）【課題】搬送用送風機のみで洗浄脱水処理を達成する事が可能な洗浄脱水同時処理方法を提供する。【解決手段】洗浄液注入バルブ２を取り付けた入口側搬送管３と下部に洗浄液排出パイプ６，７，８を取付けたスパイラル形状の出口側搬送管５より構成され、洗浄物搬送コンベアー１により運ばれた洗浄物は、洗浄液注入バルブより注入された洗浄液と混合されて搬送用送風機４に吸引され、攪拌洗浄される。洗浄物は搬送圧により脱水され洗浄物回収サイクロン９から回収され、洗浄液は洗浄液排出パイプから強制排出される。【選択図】図１
2011110549.tif 000002
【特許請求の範囲】
【請求項１】
空圧搬送物の洗浄に、搬送用送風機を利用して、洗浄物の洗浄を行うことを特徴とする洗浄方法
【請求項２】
空圧搬送物の脱水に搬送用空気圧を利用して、洗浄物の脱水を行うことを特徴とする脱水方法
【発明の詳細な説明】
【技術分野】
【０００１】  本発明は空圧搬送物の洗浄及び脱水方法に関するものである。
【背景技術】
【０００２】  従来より空圧搬送洗浄物の洗浄には、空圧搬送前に攪拌洗浄機等で洗浄処理を行い、その後、遠心脱水機や加圧脱水機等で脱水処理を行い、その後、熱風乾燥機や搬送用送風機等を利用して乾燥と搬送を行っていた。
【発明の開示】
【発明が解決しようとする課題】
【０００３】しかしながら、従来方法は洗浄工程後に脱水処理工程を行い、その後乾燥処理を行うと言う、各処理工程が個別に処理されていた。
そこで、本発明は、洗浄物の洗浄脱水を同時に処理する、連続洗浄脱水方法を提供することを課題とする。
【課題を解決するための手段】
【０００４】  以上の課題を解決するために、本発明は、空圧搬送管内に洗浄物と洗浄液を同時入れ搬送用送風機内で攪拌洗浄処理を行い、その後搬送途中で搬送用空圧を利用して洗浄液の排出と脱水処理を行うことを特徴とする洗浄脱水方法である。
【発明の効果】
【０００５】  本発明によれば、搬送用送風機と搬送管のみで洗浄脱水の同時処理が可能である。
【発明を実施するための最良の形態】
【０００６】  この発明の一実施形態を、図１及び図２に示す。
図１において、洗浄液注入バルブ２を取付けた入口側搬送管３と下部に洗浄液排出パイプ６，７，８を取付けたスパイラル形状の排出側搬送管５より構成されている。
洗浄物搬送コンベアー１より運ばれた洗浄物は、入口側搬送管３で洗浄液注入バルブ２より注入された洗浄液と混合されて搬送用送風機４に吸引され、搬送用送風機内にて攪拌洗浄される。
出口側搬送管５以降の搬送管内は常に搬送圧がかかっている状態で、洗浄液は搬送管内壁面を這う様に進み洗浄液排出パイプ６，７，８の下部に設けた排出口より強制排出される。
他方、出口側搬送管５以降の洗浄物は、搬送圧による脱水作用により脱水されながら洗浄物回収サイクロン９へと運ばれる。【０００７】「実施形態の効果」
この実施形態によれば、空圧搬送物の洗浄及び脱水が一連の連続工程にて達成できる。【０００８】「他の実施形態」
図１の実施形態では、搬送用送風機１台使用の洗浄脱水処理方法だが、出口側搬送管５に複数台の搬送用送風機を取付ければ、より洗浄度が高まる。また、洗浄液排出パイプ８と回収サイクロン９の搬送管距離を長くとる事でより脱水度が増し、乾燥度に応じて熱風ブロアー等を取付けると良い。
【図面の簡単な説明】
【０００９】
【図１】この発明の一実施形態を示す全体図である。
【図２】この発明の洗浄液排出パイプの詳細図である。
【符号の説明】
【００１０】１  投入コンベアー                ２  洗浄液注入バルブ
３  入口側搬送管                  ４  搬送用送風機
５  出口側搬送管          ６、７、８  洗浄液排出パイプ
９  洗浄物回収サイクロン          １０  熱風ブロアー
Ａ  排出パイプ本体                Ｂ  洗浄物洗浄液分離金網
Ｃ  洗浄液排出口
【図１】
2011110549.tif 000003
【図２】
2011110549.tif 000004
(57)【要約】【課題】本発明は、そこで本発明では、パターヘッドには、プリズムレフレクターを固定してその垂直面をパターヘッドのフエース面に対応させ、そのプリズムレフレクターの光学的特性を生かして簡単にホール方向を視認できるようにし、より確実なパッテングによってパッテイング成績をあげようとするものである。【解決手段】フエース面を有するパターヘッドの少なくとも中央部には４５度の傾斜を持った固定傾斜面を設け、この固定傾斜面には二等辺三角柱状のプリズムレフレクターの底面を固定し、この垂直面がフエース面１に対応するよう設定すると共に、プリズムレフレクターの垂直面の高さがゴルフボールの直径より高くなるように設定し、垂直面から入ったピン或はホールの影像はプリズムレフレクターの底面に反射して上面からピン或はホールの影像を視認自在とし、このプリズムレフレクターの上面かプリズムレフレクターの底面の両方或は片方の中央部にはフエース面に対し直角方向の芯線・点を施してなるゴルフパターである。【選択図】  図１
2011110321.tif 000002
【特許請求の範囲】
【請求項１】
フエース面を有するパターヘッドの少なくとも中央部には４５度の傾斜を持った固定傾斜面を設け、この固定傾斜面には二等辺三角柱状のプリズムレフレクターの底面を固定し、この垂直面がフエース面１に対応するよう設定すると共に、プリズムレフレクターの垂直面の高さがゴルフボールの直径より高くなるように設定し、垂直面から入ったピン或はホールの影像はプリズムレフレクターの底面に反射して上面からピン或はホールの影像を視認自在とし、このプリズムレフレクターの上面かプリズムレフレクターの底面の両方或は片方の中央部にはフエース面に対し直角方向の芯線・点を施してなるゴルフパター。
【発明の詳細な説明】
【技術分野】
【０００１】
本発明は、ゴルフに使用するパターの改良に関する。
【背景技術】
【０００２】
従来のゴルフ用パターは、ヘッドのフエース面がボールの打つ方向に対し略直角面の不透明な金属或は樹脂面となっていて、ヘッドの上面にはフエース面と直角方向の芯線などが施されている。
【０００３】
然しながら、ホール或はピン方向にパターのフエース面やヘッド上面などに表示された芯線を合わせるのが至難の技と云ってよいが、先ずは確実に芯線をホール或はピン方向に合わせるのがパターをするときの基本であり、それからグリーンの傾斜や芝芽等を考慮して打つのが一般的である。
【発明の概要】
【発明が解決しようとする課題】
【０００４】
そこで本発明では、パターヘッドには、プリズムレフレクターを固定してその垂直面をパターヘッドのフエース面に対応させて面一とし、そのプリズムレフレクターの光学的特性を生かして簡単にホール方向を視認できるようにし、より確実なパッテングによってパッテイング成績をあげようとするものである。
【課題を解決するための手段】
【０００５】
フエース面（打球面）を有するパターヘッドの少なくとも中央部には４５度の傾斜を持った固定傾斜面を設け、この固定傾斜面には断面が二等辺三角柱状のプリズムレフレクターの底面を固定し、その垂直面がパタヘッドのフエース面に対応するよう設定すると共に、その垂直面の高さがゴルフボールの直径より高くなるように設定し、このプリズムレフレクターの上面かプリズムレフレクターの底面の両方或は片方の中央部にはフエース面に対し直角方向の芯線・点を施してなるものである。
【発明の効果】
【０００６】
本発明の効果として、プレーヤーのパットするときの構えでプリズムレフレクターの真上を覗くことによってホール或はピンの位置を視認でき、この視認位置とパターの芯線・点とを合わせることでより確実なパッテイング効果をあげることができる。
【図面の簡単な説明】
【０００７】
【図１】本発明パターの斜視説明図。
【実施例】
【０００８】
図１において、フエース面１を有するパターヘッド２の少なくとも中央部には４５度の傾斜を持った固定傾斜面３を設け、この固定傾斜面３には二等辺三角柱状のプリズムレフレクター４の底面５を固定し、その垂直面６がフエース面１に対応するよう設定すると共に、プリズムレフレクター４の垂直面６の高さがゴルフボール８の直径より高くなるように設定し、垂直面６から入ったピン或はホールの影像はプリズムレフレクター４の底面５に反射して上面６’から視認自在とし、このプリズムレフレクター４の上面６’かプリズムレフレクター４の底面５の両方或は片方の中央部にはフエース面１に対し直角方向の芯線・点７を施してなるものである。図中９はシャフトである。
【０００９】
殊に、グリーン上においてホールとボール間の距離が長い場合はピンを立てた状態でアドレスをし、プリズムレフレクター４の垂直面６から入った芯線・点７に合わせるようにし、その後グリーンの傾斜、芝芽などを考慮して打つようにするとよい。
【符号の説明】
【００１０】
１：フエース面
２：パターヘッド
３：固定傾斜面
４：プリズムレフレクター
５：底面
６：垂直面
６’：上面
７：芯線・点
８：ゴルフボール
９：シャフト
【図１】
2011110321.tif 000003
(57)【要約】【課題】パチンコ球との接触により電極が汚れるおそれがなく、パチンコ球が滞留した際にその滞留状態を正確に検出することができる滞留検出装置を提供する。【解決手段】多数のパチンコ球ｐを自重で流下させるため傾斜状に支持された横断面凹形の幅広な搬送樋１の内側であって該搬送樋の両側縁寄りに該搬送樋の底面よりも小高くなった夫々丘陵部２，２を形成することにより該搬送樋の底面に幅狭部４を形成し、球流量が少ない常態時にはパチンコ球が該幅狭部を通過するようにするとともに、該搬送樋の底面の該丘陵部の下流側であって該丘陵部に接近させて電極５，５を夫々配設し、滞留時に該電極間にパチンコ球が連なり導通することで該パチンコ球の滞留を検出する。【選択図】図２
2011110358.tif 000002
【特許請求の範囲】
【請求項１】
多数のパチンコ球を自重で流下させるため傾斜状に支持された横断面凹形の幅広な搬送樋の内側であって該搬送樋の両側縁寄りに該搬送樋の底面よりも小高くなった夫々丘陵部を形成することにより該搬送樋の底面に幅狭部を形成し、球流量が少ない常態時にはパチンコ球が該幅狭部を通過するようにするとともに、該搬送樋の底面の該丘陵部の下流側であって該丘陵部に接近させて電極を夫々配設し、滞留時には該電極間にパチンコ球が連なり導通することで該パチンコ球の滞留が検出されるようにしたことを特徴とするパチンコ球滞留検出装置。
【請求項２】
丘陵部は搬送樋の下方に向かい該搬送樋の両側縁から内側に次第に広がるテーパ状の形態であることを特徴とする請求項１に記載のパチンコ球滞留検出装置。
【発明の詳細な説明】
【技術分野】
【０００１】
本発明は、パチンコ球を自重で転動させ移送する移送樋中にパチンコ球が滞留した場合にその状態を電気信号により検出するパチンコ球滞留検出装置に関するものである。
【背景技術】
【０００２】
多数のパチンコ機が隣接状に設置された遊技場のパチンコ機設置島は、周知のように各パチンコ機から排出されたパチンコ球を揚送リフトや貯留タンク等に導くために、パチンコ球を自重で転動させる傾斜状の移送樋が設けられ、該移送樋にはパチンコ球が滞留した場合にその状態を電気的に検出し得るようにするため、従来から図５に示したように、銅板等の一対の導電板ａ，ｂからなる電極を移送樋ｃの底面に適宜間隔を離して配設し、パチンコ球の滞留が起き、該導電板ａ，ｂ上にパチンコ球ｄが連なるようになると、両電極間が該パチンコ球ｄを介して導通することから、その滞留状態を検出できるようにしている。
なお、下記特許文献１には、パチンコ機の可変入賞装置中に設けられた球通路にパチンコ球の直径より狭い間隔で一対の導電性部材からなる電極を設けることで、該可変入賞装置中のパチンコ球の有無を電気的に検出するスイッチが示されている。
【先行技術文献】
【特許文献】
【０００３】
【特許文献１】特開２００７−３０１１４８号公報
【発明の概要】
【発明が解決しようとする課題】
【０００４】
ところで、上記従来のパチンコ球滞留検出装置は、移送樋中を流下するパチンコ球が常に導電板に接触して転動するものであったので、その接触面が汚れて導電性が悪くなり、次第に滞留状態を正しく検出できなくなるという問題があった。
そこで本発明は、パチンコ球と接触することによる導電板の汚れが防止され、移送樋中のパチンコ球の滞留状態を常に正確に検出し得るパチンコ球滞留検出装置を提供しようとするものである。
【課題を解決するための手段】
【０００５】
そのために本発明のパチンコ球滞留検出装置は、多数のパチンコ球を自重で流下させるため傾斜状に支持された横断面凹形の幅広な搬送樋の内側であって該搬送樋の両側縁寄りに該搬送樋の底面よりも小高くなった夫々丘陵部を形成することにより該搬送樋の底面に幅狭部を形成し、球流量が少ない常態時にはパチンコ球が該幅狭部を通過するようにするとともに、該搬送樋の底面の該丘陵部の下流側であって該丘陵部に接近させて電極を夫々配設し、滞留時には該電極間にパチンコ球が連なり導通することで該パチンコ球の滞留が検出されるようにしたことを特徴とする。
【０００６】
また、本発明は上記パチンコ球滞留検出装置において、丘陵部は搬送樋の下方に向かい該搬送樋の両側縁から内側に次第に広がるテーパ状の形態であることを特徴とする。
【発明の効果】
【０００７】
常態ではパチンコ球が電極に接触しないので、電極の汚れが防止される。従って、滞留時に確実に電極間がパチンコ球によって電気的に導通され、滞留状態を正確に検出することが可能になる。
【図面の簡単な説明】
【０００８】
【図１】本発明に係るパチンコ球滞留検出装置の平面図。
【図２】本発明に係るパチンコ球滞留検出装置の斜視図。
【図３】図１のＡ−Ａ線断面図。
【図４】本発明に係るパチンコ球滞留検出装置の滞留時の平面図。
【図５】従来のパチンコ球滞留検出装置の平面図。
【発明を実施するための形態】
【０００９】
次に本発明の実施形態を図１〜図４に従って説明する。同図において、搬送樋１は、遊技場に設置されるパチンコ機島台における各パチンコ機から排出されたアウト球、入賞球等をパチンコ球タンクに戻すために多数のパチンコ球ｐが同時に搬送されるような能力を確保されるように幅広の横断面凹形に形成され、そのパチンコ球ｐが矢印で示した長手方向に自重で流下し得るように緩い傾斜角度で支持されている。なお、該搬送樋１はプラスチック等の非導電性の材料で成形される。
【００１０】
該搬送樋１の内側であって該搬送樋の両側縁寄りに三角形状の板をビス３により固定することにより、該搬送樋の底面よりも小高くした一対の丘陵部２，２を形成し、該両丘陵部２，２間の搬送樋底面に幅狭部４を形成し、該搬送樋１の球流量が少量である常態時は図１〜図３  に示したように、パチンコ球ｐが該丘陵部２，２に案内されて該幅狭部４を流下するようにする。５，５は該搬送樋１の底面の該丘陵部２，２の下流側であって該丘陵部２，２に接近させてビス６により固定することで配設された一対の導電板からなる電極である。
【００１１】
このパチンコ球滞留検出装置では、例えば下流にあるパチンコ球タンクがパチンコ球で満杯になり、図４に示したように、そのパチンコ球ｐが電極５，５間に連なるようになると、該電極５，５間がそのパチンコ球を介して電気的に導通するためこの滞留状態を検出することができる。
【００１２】
このように、本発明のパチンコ球滞留検出装置は、丘陵部２，２を設けたことにより、常態でパチンコ球ｐが電極５，５上を通過しないようになるので、通過するパチンコ球の汚れが該電極５，５の表面に付着することなく、該電極５，５の表面が長期にわたってきれいに保たれることから、その下流からパチンコ球が滞留したときには、滞留したパチンコ球が該電極５，５に接触して確実に導通し、電気信号によりその滞留状態を正確に検出することができる。
【符号の説明】
【００１３】
１    搬送樋
２    丘陵部
４    幅狭部
５    電極
ｐ    パチンコ球
【図１】
2011110358.tif 000003
【図２】
2011110358.tif 000004
【図３】
2011110358.tif 000005
【図４】
2011110358.tif 000006
【図５】
2011110358.tif 000007
(57)【要約】      （修正有）【課題】長い時間、乗物座席に座っていると、腰や肩が凝ってくる。【解決手段】この凝りを解消するため乗物座席２に装備された背筋をマッサージする柔軟な棒状背筋指圧具１を首から腰に当て、乗物の揺れを利用し背筋をマッサージし、腰や肩が凝らないようにするものである。棒状背筋指圧具１の取り付けは、背中と背もたれの間に挟むか、背もたれに固定する。【選択図】図１
2011110389.tif 000002
【特許請求の範囲】
【請求項１】
柔軟な材質を用い、丸く成形したものを、乗物座席と背筋の間に装備し、乗物の揺れを利用して、背筋をマッサージする棒状背筋指圧具。
【発明の詳細な説明】
【技術分野】
【０００１】本発明は、人が乗物座席に腰かけ背もたれに寄りかかり加圧し乗物の揺れを利用することで背筋や背骨を刺激し正しい姿勢を維持し、指圧ストレッチ効果やこりをほぐしたりするマッサージ効果のある乗物座席の背もたれに装備する棒状背筋指圧具に関するものである。
【技術背景】
【０００２】従来、乗物座席に座った人が後方へよりかかって主に腰部背面を自身の体重で静かに加圧することにより、長い長方形の背板に上下に動く可動板とやや軟質の加圧材を取り付けた装置で、背筋や背骨を伸ばしたり、おもに腰部背面の背すじ伸ばしを目的とした装置であり、背中上方の首筋や肩甲骨周りの筋肉の整体作用は無いものだった。
本発明は、長い時間、乗物に乗っていると、腰や肩が凝ってくる、この凝りを解消するための背筋マッサージをする棒状背筋指圧具で、乗物座席と背筋の間に装備して背筋マッサージする棒状背筋指圧具を首から腰に当て、乗物の振動を利用し背筋をマッサージし、腰や肩が凝らないようにするものである。
【先行技術文献】
【特許文献】
【０００３】
【特許文献１】  特許出願公開番号  特開２００８−２５９７９８  （Ｐ２００８−２９５７９８Ａ）
【発明の概要】
【発明が解決しようとする課題】
【０００４】従来の乗物座席の指圧具は、背中の僧帽筋や広背筋の表層部の筋肉だけをマッサージするだけで、深層部の小菱形筋、大菱形筋、背柱起立筋、下後鋸筋をマッサージすることが出来なかった。
【課題を解決するための手段】
【０００５】本発明が解決しようとする乗物座席は、長い時間、乗物に乗っていると、腰や肩が凝ってしまう、この腰や肩が凝らないように、乗物の揺れを利用した、乗物座席と背筋の間に装備する背筋マッサージをする棒状背筋指圧具で背中深層部の小菱形筋、大菱形筋、背柱起立筋、下後鋸筋をマッサージして腰や肩が凝らないようにしようとするものである。
棒状背筋指圧具の取り付けは、背中と背もたれの間に挟むか、背もたれに固定する。
【発明の効果】
【０００６】長い時間、乗物に乗っていると、腰や肩が凝ってくる、この凝りを解消するための背筋マッサージ棒状背筋指圧具で、乗物座席に装備する背筋マッサージ棒状背筋指圧具を首から腰に当て、乗物の揺れを利用し背筋をマッサージし、また、寄り掛かり方を変えることで棒状背筋指圧具から受ける圧力を調整することができ、腰や肩が凝らないようにする効果がある。
さらに棒状背筋指圧具の中に磁性体を埋め込めば効果は増す。
【図面の簡単な説明】
【０００７】
【図１】  棒状背筋指圧具が人と座席の間に装着された側面図
【図２】  図１の人の胴体と棒状背筋指圧具と乗物座席の断面図
【図３】  人体の浅背筋の層構成の筋群で、左側は表層筋群、右側は深層筋群
【発明を実施するための最良の形態】
【０００８】棒状背筋指圧具は、材料が安価で、製作加工が容易なので、販売価格が安くなるため需要側と供給側は最良の形態となる。
【実施例】
【０００９】以下、添付図面で実施例を説明をする。
図１は棒状背筋指圧具を人と乗物座席の間に装着し乗物の揺れを利用して背筋のマッサージをする図である。
図２は図１の胴体と棒状背筋指圧具と乗物座席の断面図で、胴体と棒状背筋指圧具と乗物座席の位置関係の図である。
図３は人体の浅背筋の層構成の筋群で、棒状背筋指圧具でマッサージされる各筋肉を説明するための浅背筋図である。
【産業上の利用可能性】
【０００１０】自動車業界が棒状背筋指圧具を利用すれば大きく貢献し利益を生む可能性がある。
【符号の説明】
【０００１１】  １    棒状背筋指圧具
２    乗物座席
３    人
４    僧帽筋、固有背筋、頚棘筋、胸棘筋
５    胸椎
６    背広筋
７    腰椎
８    仙骨
９    後頭骨
１０    頚椎
１１    小菱形筋、頭板状筋
１２    大菱形筋、頚板状筋
１３    背柱起立筋
１４    下後鋸筋
１５    肋骨挙筋
１６    腸骨
【図１】
2011110389.tif 000003
【図２】
2011110389.tif 000004
【図３】
2011110389.tif 000005
(57)【要約】【課題】足の機能の不足は、歩装具のさまざまなタイプによって今のところ納得すべきレベルにある。  ただ、使用者本人の着用、使用感という、一面はっきりと表し難い、しかし確実に存在し、使用者本人のプレッシャーと成り得る重さ、密着感、暑苦しさから救う、新しいタイプの歩装具である。  病気や事故の後、長い治療を終えた後に遣って来るのが、身体障害者としての日常生活である。様々な不便に本人が襲われる中、その内の僅か、ほんの僅かでもと、本件を考案しました。【解決手段】側背面に穴を開けることを特徴とする歩装具を提供する。【選択図】図１
2011110390.tif 000002
【特許請求の範囲】
【請求項１】
側背面に穴を開けることを特徴とする歩装具。
【請求項２】
側背面に複数のジャバラをつけることを特徴とする歩装具。
【請求項３】
歩装具の側背面をメッシュ（ネット）にすることを特徴とする歩装具。
【請求項４】
歩装具の側背面に名前の切抜き型の穴を開けることを特徴とする歩装具。（図無）
【発明の詳細な説明】
【技術分野】
【０００１】  この発明は、不幸にして病気怪我から足の一部が曲がらなく、あるいいは曲がりにくくなり、歩装具を着けざるを得なくなってしまった人に、少しでも軽く、密着感、暑苦しさを軽減する、歩装具の製作技術に関するものである。
【背景技術】
【０００２】  従来、足の機能の不足は、歩装具のさまざまなタイプによって今のところ納得すべきレベルにある。
ただ、使用者本人の着用、使用感という、一面はっきりと表し難い、しかし確実に存在し、使用者本人のプレッシャーと成り得るもの、から救う、新しいタイプの歩装具である。
【先行技術文献】
【特許文献】
【０００３】  特許電子図書館で紹介しましたが、「歩装具」に関する技術は０件でした。
【特許文献１】
【特許文献２】
【非特許文献】
【０００４】
【非特許文献１】
【非特許文献２】
【発明の概要】
【発明が解決しようとする課題】
【０００５】  足の機能の不足は、歩装具のさまざまなタイプによって今のところ納得すべきレベルにある。
ただ、使用者本人の着用、使用感という、一面はっきりと表し難い、しかし確実に存在し、使用者本人のプレッシャーと成り得る重さ、密着感、暑苦しさから救う、新しいタイプの歩装具である。
【課題を解決するための手段】
【０００６】  歩装具の側背面に穴を開ける。【０００７】  歩装具の側背面に複数のジャバラをつける。【０００８】  歩装具の側背面をメッシュ（ネット）にする。【０００９】  歩装具の側背面に名前の切抜き型の穴を開ける。
【発明の効果】
【００１０】  本発明品の使用者は、
発明品の効果、効能をつねに感じられる訳ではないが事実上、確実に軽い歩装具、さらにより重要なこととして、特に湿っぽい梅雨や、暑い夏などの季節において高度な通気性を持った歩装具で動き回ることが可能となり、快適な歩行生活をいとなめる。
【図面の簡単な説明】
【００１１】
【図１】穴開きタイプ軽量化歩装具の図
【図２】ジャバラタイプ軽量化歩装具の図
【図３】メッシュ（ネット）タイプ軽量化歩装具の図
【発明を実施するための形態】
【００１２】  歩装具の側背面に穴を開ける。
当然、穴を開けた分だけ歩装具は軽くなり、また風通しもよくなる。
【００１３】  歩装具の側背面に複数のジャバラをつける。
ジャバラを着けることによって、直接足に触れる部分と、触れない部分を作る事が出来、従来の側背面が全面的に足に触れるタイプに比べ足にとって、より通気性を持たせることが出来る。
ただし、この場合歩装具は、必ず軽くなるとは限らない。
【００１４】  歩装具の側背面をメッシュ（ネット）にする。
例えば、側背面の外枠及び構造的強化部分に頑丈な針金を用い、内部をメッシュ（ネット）にすることによって、従来の側背面が全面的に足に触れるタイプに比べ足にとって、より通気性を持たせることが出来る。
ただし、この場合歩装具は、必ず軽くなるとは限らない。
【００１５】  歩装具の側背面に名前の切抜き型の穴を開ける。
名前の苗字部分や、氏名の名前部分、ニックネーム等、何らかの名前に類するものを用いることによって、楽しみも増し、また軽く、通風性も増させた歩装具を得る事が出来る。
【実施例】
【・・・・】
【産業上の利用可能性】
【・・・・】
【符号の説明】
【００１６】１ａ  穴開きタイプ軽量化歩装具
１ｂ  ジャバラタイプ軽量化歩装具
１ｃ  メッシュ（ネット）タイプ軽量化歩装具
２  穴
３ａ  ジャバラの足に触れない部分
３ｂ  ジャバラの足に触れる部分
４  針金
５  メッシュ（ネット）
６  歩装具のベルト
７  歩装具の基板、人足部分
【受託番号】
【・・・・】
【図１】
2011110390.tif 000003
【図２】
2011110390.tif 000004
【図３】
2011110390.tif 000005
(57)【要約】【課題】洗濯物を干す際や、洗濯物を畳む際に、洗濯物のほつれ糸があるとハサミを取りに行き、ハサミでほつれ糸を切り、ハサミを片付けていた。ハサミを取りに行ったり、片付けたりが手間である。その為、ほつれ糸をそのままにしていたり手で糸を切ろうとすると、余計にほつれが酷くなる。本発明は、洗濯籠に取り付ける為の、ほつれ糸専用カッターホルダーを提供する。【解決手段】雀形の板の口ばし部分奥にＶ字形の刃を設けて、もう一枚の雀形の板で刃を挟むように設ける。ホルダー穴に伸縮性ゴムコード付きホルダーを設ける。【選択図】図１
2011110396.tif 000002
【特許請求の範囲】
【請求項１】
刃をＶ字形にすることにより糸をスライドさせながら切る事が出来る為、より糸が切れやすくなり、  Ｖ字形の刃を２枚の雀形の板の口ばし奥に挟んで設ける事により、Ｖ字形のカッターの刃が、口ばし部分によりガードされる安全なほつれ糸専用カッターに、ホルダーを設ける。
【発明の詳細な説明】
【技術分野】
【０００１】    本発明は、衣類やタオル類などの、ほつれ糸を切る為のほつれ糸専用カッターホルダー
に関するものである。
【背景技術】
【０００２】従来、洗濯物を干す際や、洗濯物を畳む際に、洗濯物のほつれ糸があると、ハサミを取りに行き、ハサミでほつれ糸を切り、ハサミを片付けていた。
なお、手で、ほつれ糸を切ろうとすると、ほつれ糸が、余計に酷くなっていた。
【先行技術文献】
【０００３】
【発明の概要】
【発明が解決しようとする課題】
【０００４】洗濯物を干す際や、洗濯物を畳む際に、洗濯物のほつれ糸があると、ハサミを取りに行き、ハサミでほつれ糸を切り、ハサミを片付けていた。ハサミを取りに行ったり、片付けたりが手間である。その為、ほつれ糸をそのままにしていたり、手で糸を切ろうとすると、余計にほつれが酷くなる。
本発明は以上の問題点を解決するものである。
【課題を解決するための手段】
【０００５】  二枚の雀形の板の口ばし奥に、Ｖ字形の刃を挟み設ける。ホルダー穴に伸縮性のゴムコードのホルダーを設ける。
以上の構造によりなる、ほつれ糸専用カッター。
【発明の効果】
【０００６】  洗濯物を干す際や、洗濯物を畳む際に、ほつれ糸があると、本発明のホルダー（７）で洗濯籠の取ってに取り付けた雀形のほつれ糸専用カッターの口ばしにほつれ糸を通し、口ばしの奥の刃でほつれ糸を切る。刃がＶ字形の為、糸をスライドさせながら切る事が出来る。なお本発明の厚みが薄い為、ほつれ糸を根元から切る事が出来、刃が口ばし部分によりガードされている為、指などを切る心配がない。
【図面の簡単な説明】
【０００７】
【図１】      本発明の斜視図
【発明を実施するための形態】
【０００８】      以下、本発明の実施の形態を説明する。
（イ）雀形の板の口ばし部分奥にＶ字形の刃を設け、もう一枚の雀形の板で刃を挟むように設け、雀形の板（１）の上にホルダー穴（３）を設ける。
（ロ）ホルダー穴（３）と伸縮性のゴムコード（４）の間にリング（５）を設け、伸縮性のゴムコード（４）と、ホルダー（７）の間にリング（６）を設ける。
本発明は以上のような構造である。
本発明を使用するときは、ホルダー（７）で洗濯籠の取ってに取り付け、雀形の板（１）の口ばしに、ほつれ糸を通し、口ばし奥のＶ字形の刃で、ほつれ糸をスライドさせながら切る。
【符号の説明】
【０００９】（１）雀形の板、（２）Ｖ字形の刃、（３）ホルダー穴、（４）伸縮性のゴムコード
（５）リング、（６）リング、（７）ホルダー
【図１】
2011110396.tif 000003
(57)【要約】      （修正有）【課題】土地勘の無い外出先での尿意や障害者高齢者の排尿までに時間が掛かってトイレ迄に間に合わない緊急の排尿用貯尿バッグの提供。【解決手段】排出された尿が逆流弁を通過して貯尿バックに溜められる。溜められた尿は専用の排出弁に依ってトイレで排出される。【選択図】図１
2011110398.tif 000002
【特許請求の範囲】
【請求項１】
装着式貯尿バックは２気室の構造から成り排尿時に作動する１次室底部の逆流弁とこの逆流弁に隣接して密着する貯尿バックから排出する為の弁とνの２つの弁を持つことを特徴とする装着式貯尿バック。
【請求項２】
請求項１の装着式貯尿バックの構造に於いて集尿する一次室の人体接触壁の表面には水切りする為の絞が付けられていることを特徴とする装着式貯尿バック。
【請求項３】
請求項１の装着式貯尿バックの貯尿二次ルームはシリコーン製のゴム素材から成り通常はコンパクトなサイズで有るが尿が溜まると素材の伸び特性に依り尿量の重さに比例して貯尿容積が増えることを特徴とする装着式貯尿バック。
【発明の詳細な説明】
【技術分野】
【０００１】外出先で近くにトイレが無かったり、高齢者がトイレに行くまでに時間が掛かってしまうことや軽度の頻尿対策として一時的に排尿を溜め置く装着式の貯尿バックに関する。
【背景技術】
【０００２】泌尿患者から健常者まで排尿問題の対処法として旧来からのオムツや失禁パンツの様に含侵素材に尿を含ませる方法と容器を携行して排尿し一旦貯尿する方法に大別される。  男性に限ってのみ性器に容器を取り付けて一旦貯尿する方法は有る。
【発明の開示】
【発明が解決しようとする課題】
【０００３】健常者の耐え難い尿意や高齢者、障害者の排尿までに時間が掛かって排尿に間に合わない状況に於いて周囲に知られず速やかに排尿でき一旦溜め置ける新規の装着式貯尿バ  ックを提供する。
【課題を解決するための手段】
【０００４】予め装着する本発明の貯尿バックは２気室から成り排尿側の性器を覆う１次室は壁面に水切り絞を備えた漏斗形状でその底部に逆流弁が備えられている。
更にこの逆流弁を覆う様に隣接密着する貯尿ルームも排尿用の弁を備えている。
排尿は１次室に集められ底部の止水弁を通過し２次室貯尿バックに集められる。
適宜可能な場所時間に２次室底部の止水弁を使って排出する。
【発明の効果】
【０００５】土地勘の無い外出先や外国での出張先で耐え難い尿意を感じた時、また高齢者が尿意をもよおしてトイレに行く際に動きが緩慢で間に合わない状況、頻尿障害等への対策として一時的に排尿を本発明のバックに貯め置きトイレに行くまでの時間を確保することが出来る。
排尿側逆流弁の働きで周囲から気付かれることなく排尿することが出来る。
また肌と接する１次室壁面には水切り目的の絞が施されているので跳ね返り尿によるベタツキ感は軽減される。高発砲のウレタンやナイロン綿のシートを壁面との間に挟めば装着に依る違和感は更に軽減される。
装着式貯尿バックは例えばシリコーンゴム等の伸縮材を使用するので装着時にはかさばらないが排尿の量が多い場合尿の重さに比例して貯尿バックが膨らみ容量に順応する事が出来る。
【発明を実施するための最良の形態】
【０００６】以下使用過程を順を追って説明するとまず本発明の貯尿バックをパンツの下に装着する。排出された尿は漏斗形状を成す一次ルームの水切り絞の有る壁面を伝わって最初の逆流弁を通過する。水切り絞とは水の流れ方向と平行に表面に水の通る溝を掘り水の通る谷と水を振り落とす山の断面を以って人体接着面には極力水が残らない表面構造である。本願の一次室の逆流弁はフロート式であるが男性には性器に手を添えて放尿する習慣が有るので１次弁の種類を口元をつまむと流水する止水弁タイプに変更すると馴染み易い面も有る。
２次弁に関しても同様の弁種を取り付けた場合トイレでは２次弁の先を摘まんで貯尿バックから排尿すれば通常の男子放尿格好と成り周囲に気付かれず使用者の違和感も薄れる。
この様に上下二つの弁の種類は使用者の好みや習慣に依って選択し止水弁の形式に拘るものではない。
二次ルームに移動した尿はその量に依る重さで二次ルームを構成するシリコーンゴム等の伸縮特性で下向きに膨らんで容積に順応する。
二次ルームに一時的に溜められた尿は底部に備えた二次弁に依ってトイレで排出される。
【図面の簡単な説明】
【０００７】
【図１】貯尿バックのＡ−Ａ’断面図である。
【図２】貯尿バックの正面図である。
【図３】使用可能な弁種の作動例。
【符号の説明】１    集尿１次室
２    貯尿２次室
３    １次室集尿壁
４    １次室逆流弁
５    ２次室貯尿壁
６    貯尿２次室止水弁
７    フロート
８    ウエストバンド
【図１】
2011110398.tif 000003
【図２】
2011110398.tif 000004
【図３】
2011110398.tif 000005
(57)【要約】      （修正有）【課題】歯槽膿漏に冒され歯が抜け落ちることを防ぐ歯ブラシを提供する。【解決手段】無機ゲルマニュウム（１）又は磁石（１）などの鉱石を設置した器具を、歯ブラシ（４）の先端部分に歯ブラシとは別個に着脱可能な構造とする。次に歯ブラシと器具をドッキングさせて一体化した複合帯を形成した器具で歯磨きを行えば、無機ゲルマニュウムあるいは磁石等の鉱石から発生する効能により、歯茎の血流の流れは活性化されるので万病の元である歯槽膿漏を撃退させる又他の病気の誘発を防ぐことができる。【選択図】図４
2011110391.tif 000002
【特許請求の範囲】
【請求項１】
歯ブラシの先端部分に無機ゲルマニュウム又は磁石などの鉱石を設置した器具を歯ブラシと別個に着脱可能な構造にする。次に歯ブラシと器具をドッキングさせて一体化させた複合帯を形成した器具で歯磨きをすれば無機ゲルマニュウム又は磁石等の鉱石から発生する効能により歯茎の血液の流れは活性化されるので、万病の元である歯槽膿漏を撃退させる。並びに他の病気の誘発を防ぐことを最大の特徴とした「複合帯歯茎頑丈歯槽膿漏撃退装置」
【発明の詳細な説明】
【技術分野】従来から年齢が重なるのに比例して歯茎が劣化して歯槽膿漏に冒され歯が抜け落ちるのは仕方の無い老化現象であると思われていた。しかし冷静になって考えてみれば、歯茎に刺激を与え、血液の流れが活性化させて、歯茎を頑丈にすればよいという方程式が成り立つことになる。そこで本発明者は日夜研究を重ねこの世に初めて「複合帯歯茎頑丈歯槽膿漏撃退装置」なるものを発明したので以下にわたって説明する。歯ブラシは手動又は電動式のどちらでもなんら差し支えは無いが、先ず歯ブラシの先端部分に着脱が容易な構造のした無機ゲルマニュム又は磁石等の鉱石を設置した器具を歯ブラシとは別個に設ける、次に歯ブラシと器具が一体化して複合帯になるようにドッキングできる構造とする、無機ゲルマニュムまたは磁石は永久的に、その優れた機能を発生し続ける鉱石であって、歯ブラシは磨り減ったら捨てるものであるから、分離する構造にしなければ意味が無い、このように歯ブラシと一体化させてドッキングした器具で歯磨きを行えば、無機ゲルマニュウムを設置した器具であれば体温の生体電流により口の隅々まで酸素を供給して悪玉の水素イオンを排除し歯茎の血液の流れを潤滑にして活性化させる働きをする、又永久磁石を設置した器具であれば磁気の働きにより歯茎の血液を活性化させる働きをすることは医学的にも立証されている。以上のようにゲルマニュウム又は磁石を設置した器具を歯ブラシとドッキングさせ複合帯にした器具で歯磨きを行っていれば、鉱石からは永久的に発生し続ける効能により歯茎の血液の流れは活性化されので、万病の元である歯槽膿漏は撃退される、並びに他の病気の誘発は未然に防ぐことができる「複合帯歯茎頑丈歯槽膿漏撃退装置」を本日ここに発表するものである。【０００１】歯ブラシの先端部分に無機ゲルマニュウム又は磁石等の鉱石を設置した器具を歯ブラシとは別々に設けて、その組み合わせはドッキングができる構造とし、一体化した器具で歯磨きをすれば、器具に設置されている鉱石の効能により歯茎の血液を活性化させて歯槽膿漏を撃退させて、歯が抜け落ちることを防ぐ「複合帯歯槽膿漏撃退装置」。
【図面の簡単な説明】
【０００２】
【図１】は無機ゲルマニュム又は磁石等の鉱石を設置した正面図、
【図２】は器具が容易に一体化できる構造を示した手動式歯ブラシの側面図、
【図３】は歯ブラシと器具をドッキングして一体化したことを示す「複合帯歯槽膿漏撃退装置」の完成側面図
【図４】は本発明の「複合帯歯茎頑丈歯槽膿漏撃退装置」で歯磨きを行っていることを示す斜視図
【符号の説明】
【０００３】（１）無機ゲルマニュム又は磁石（２）穴（３）ボルト（４）手動歯ブラシ（５）歯ブラシの毛（６）無機ゲルマニュウムの供給酸素又は磁石の磁気（７）歯（８）歯茎（９）ナット
【図１】
2011110391.tif 000003
【図２】
2011110391.tif 000004
【図３】
2011110391.tif 000005
【図４】
2011110391.tif 000006
(57)【要約】【課題】  洗浄中洗剤が必要な時でも継続して作業ができるスポンジたわしを提供する。【解決手段】  スポンジたわしの内部に洗浄液を入れる洗浄液容器（４）を設けることにより、洗剤補給に作業を一端中断し別容器から補給することなく、容器キャップ（１）を押すことにより必要量補給することができる。容器キャップ（１）の頭部のみが露出しているだけなのでスポンジたわしの全面を使用しての洗浄ができることを特徴とする。【選択図】図２
2011110399.tif 000002
【特許請求の範囲】
【請求項１】
スポンジ（３）の上下両面に不織布（２）を設けたスポンジたわしの内部に洗浄液を入れる洗浄液容器（４）を設け、上面中心部の容器キャップ（１）の頭部のみを露出させた洗剤自給スポンジたわし。
【請求項２】
スポンジたわしの上面にのみ不織布（２）を設けた、請求項１記載の洗剤自給スポンジたわし。
【発明の詳細な説明】
【技術分野】
【０００１】  本発明は、スポンジたわしの内部に洗浄液を入れる容器を設け、洗剤が必要時には容器の一部を押すことにより、スポンジに洗剤を染み込ませることができる洗剤自給スポンジたわしに関するものである。
【背景技術】
【０００２】  スポンジたわしはその素材の柔らかさから、洗う物に傷を付けないということでキッチン用品、風呂掃除道具、洗車用品などに多く使用されている。使用するにはスポンジに水と洗剤を含ませ泡を立てて使用する。【０００３】  スポンジたわしは使用用途によって、大きさ形状多種ある。【０００４】  従来、スポンジたわしと洗剤容器を一体化したものには、スポンジたわしの端に洗剤容器を付けた洗剤容器の付いたスポンジたわし（特許文献１参照）、たわしに固着させた把手の内部に洗剤容器を内装させた把手付のたわし（特許文献２参照）、柄付きスポンジたわしの柄中洞部を洗浄液の収納部としたスポンジ交換式柄付き洗浄具（特許文献３参照）などがあった。
【先行技術文献】
【０００５】
【特許文献１】実用新案登録第３０４７９３３号公報
【特許文献２】実用新案登録第３０４４１８２号公報
【特許文献３】特開２００２−４５３２６号公報
【発明の概要】
【発明が解決しようとする課題】
【０００６】  従来、スポンジたわしで洗浄作業をおこなう場合、スポンジに水と洗剤を含ませ泡を立てておこなうが、作業中洗剤を補給するには作業を一端中断し、別の容器の洗剤をスポンジに含ませる作業が必要であった。そのため継続しての洗浄作業ができなかった。【０００７】  洗剤を補給する場合、補給回数を減らすため一回の補給量が多くなりがちのため、洗剤の使用量が多かった。
本発明は、以上の問題点を解決するものである。
【課題を解決するための手段】
【０００８】  上記問題点解決のため、本発明はスポンジ（３）の上下両面に不織布（２）を設けたスポンジたわしの内部に洗浄液を入れる洗浄液容器（４）を設け、上面中心部に容器キャップ（１）の頭部のみを露出させ、その部分を押すことにより洗浄液がスポンジに染み込み洗剤補給に作業を一端中断することなく補給することができる。【０００９】  洗剤の補給には洗浄液容器（４）の容器キャップ（１）を押す回数により、洗浄物の量などに合わせて必要量の補給ができる。【００１０】  使用時には容器キャップ（１）を取り洗浄液を入れ、容器キャップ（１）をしっかりと締める。スポンジたわしに水を含ませてから容器キャップ（１）部分を押すことにより洗浄液がスポンジ（３）に染み込み、たわし全体を軽く揉むことにより泡がたち洗浄に適した状態となる。【００１１】  請求項２に記載した、構造を変えることにより洗浄目的に合ったスポンジたわしが可能である。
本発明は、以上の構成よりなる洗剤自給スポンジたわしである。
【発明の効果】
【００１２】  スポンジたわしの内部に洗浄液を入れる容器を設けることにより、洗剤を補給するために作業を中断して別の容器から洗剤を補給することなく、継続して作業ができるようになる。【００１３】  作業の状況を見て洗剤を必要量補給できるため、洗剤の無駄がなくなる。【００１４】  容器キャップ（１）の頭部のみが外部に露出しているため、洗浄に邪魔にならず全面を使用しての洗浄が可能である。
【図面の簡単な説明】
【００１５】
【図１】本発明の斜視図
【図２】本発明の内部構造を示す斜視図
【図３】本発明の内部構造を示す平面図
【図４】本発明の図３における洗浄容器を除いたＡ−Ａ’断面図
【図５】本発明の他の実施例を示す側面図
【発明を実施するための形態】
【００１６】  以下、本発明の実施の形態について説明する。
スポンジたわしの中心部に洗浄液を入れる洗浄液容器（４）を設ける。容器の材質は押しても元の形状に戻る柔らかいポリエチレンとする。
【００１７】  洗浄液容器（４）の上部に洗浄液を入れる口を設け、蓋はネジ式のキャップとする。
【００１８】  洗浄液容器（４）下部両側面に、容器キャップ（１）を押すことによりスポンジ部分に洗浄液を染み込ませる洗浄液噴出口（５）を設ける。
【００１９】  スポンジたわし本体は、上下に不織布（２）、中心部はスポンジ（３）の三層とし、中心部のスポンジ（３）部分に洗浄液容器（４）が入るスペースを設ける。
【００２０】  上部不織布（２）の中心に、容器キャップ（１）に合わせた円形の穴をあけ、容器キャップ（１）の頭部が露出するようにする。
【００２１】  請求項２の発明は浴槽、浴室壁面、車など広い面を洗浄するための、請求項１の内部構造を持ち、大きくてたわしの上面が不織布（２）で下面が柔らかいスポンジ（３）の二層からなる洗剤自給スポンジたわしである。
【符号の説明】
【００２２】    １  容器キャップ
２  不織布
３  スポンジ
４  洗浄液容器
５  洗浄液噴出口
【図１】
2011110399.tif 000003
【図２】
2011110399.tif 000004
【図３】
2011110399.tif 000005
【図４】
2011110399.tif 000006
【図５】
2011110399.tif 000007
(57)【要約】【課題】高温多湿な地域に於いてサラリーマンや、一日中靴を履いて生活している人々は、市販されている中敷き商品では足の蒸れや臭い等、靴内の環境を快適に保つことは困難であり、その結果、足の臭いや水虫等の足のトラブルで悩んでいる人も多い。本発明は以上の問題点を解決することを目的とする。【解決手段】中敷きの踵側からつま先側に向かう細長い管を、全面又は一部分に複数並列に配置し、足の指間に来る位置に空気の排気口を複数設ける。【選択図】図１
2011110397.tif 000002
【特許請求の範囲】
【請求項１】
中敷きの踵側からつま先側に向かう細長い管を、全面又は一部分に複数並列に配置し、足の指間に来る位置に空気の排気口を複数設けた中敷き。
【発明の詳細な説明】
【技術分野】
【０００１】本発明は人間の歩く動作によって、踵からつま先側に体重が移動すると同時に、中空構造をした中敷きの管が弾性変形を起こし、管の内に入っている空気が足先に移動し押し出される。体重移動により靴の換気機構を利用した中敷きに関するものである。
【背景技術】
【０００２】一般に販売している中敷きは、靴内の蒸れ防止対策や抗菌消臭対策を商品単体で解決しようとしている。又、先行文献に於いて靴内にある空気の移動で蒸れ防止をうたった案及び水虫対策で薬剤等注入容器付き中敷き案がある。
（特許文献１、２、３参照）
【先行技術文献】
【０００３】
【特許文献１】特開２００７−２４４８２１
【特許文献２】特開２００７−１９０３４６
【特許文献３】特開２００１−０５７９０２
【発明の概要】
【発明が解決しようとする課題】
【０００４】高温多湿な地域に於いてサラリーマンや、一日中靴を履いて生活している人々は、市販されている中敷き商品では足の蒸れや臭い等、靴内の環境を快適に保つことは困難であり、その結果、足の臭いや水虫等の足のトラブルで悩んでいる人も多く、本発明は以上の問題点を解決するものである。
【課題を解決するための手段】
【０００５】上記問題点を解決するため本発明は、中敷きの踵側からつま先側に向かう細長い管を、全面又は一部分に複数並列に配置し、足の指間に来る位置に空気の排気口を複数設けたものである。
【発明の効果】
【０００６】人間の踵からつま先に移動する歩行動作により、複数の排気口から押し出された空気は、靴内の蒸れや臭いを軽減し環境を改善する。又、中敷きの管の一部に芳香、抗菌消臭剤を入れ替え可能な位置として設け、その中に注入又は挿入することにより、足の臭いや足のトラブルに効果がある。靴を履いている状態でも空気の移動により芳香、抗菌消臭効果が継続し、快適で衛生的な環境が得られる。その結果、靴の使用不使用を問わず、靴内の環境を快適に保つ働きをする。
今までは靴を脱いだ足が臭いと言われたお父さんやサラリーマンが、足の臭いが気にならなくなる。又、ファッションで夏でもブーツを履く女性は、足の臭いや足のトラブルを気にしないでおしゃれを楽しめる。
【図面の簡単な説明】
【０００７】
【図１】本発明の平面図
【図２】図におけるＡ−Ａ’拡大断面図
【発明を実施するための形態】
【０００８】  以下、本発明の実施の形態を説明する。
（イ）中敷きの踵側吸気口（１）よりつま先側の排気口（２）まで向かう細長い管（３）を複数並列に配置する。
（ロ）足の指間に来る位置に複数の空気排気口（４）を設ける。
本発明は以上のような構造で、実際に使用する場合は次のようになる。
本発明は人間が歩く動作を利用した、中敷き内の空気の移動による快適な靴内環境を得る為です。人間が歩行するには先ず始めに踵を地面に付け、徐々につま先側に体重移動がなされ、左右の足を交互に繰り返すことで歩行する。その体重移動により踵側にあった空気（１）が中空構造の管内（３）を通りつま先側に移動し排気（２）され、続いて踵側から空気が吸気（１）される。この動作の繰り返しである。足の指の間にも体重移動により空気が抜けるように複数排気口（４）を設ける。
【符号の説明】
【０００９】（１）踵側吸気口
（２）つま先側排気口
（３）管
（４）空気排気口
【図１】
2011110397.tif 000003
【図２】
2011110397.tif 000004